(57)【要約】【課題】  神経伝達系を阻害する農薬の残留を、迅速・簡便・安全且つ安価に検出可能な農薬検出用具を提供する。【解決手段】  いずれも密閉可能な反応室と検出室とをそれぞれ少なくとも１以上有するとともに、各室間を区画する隔壁部を有する農薬検出用具である。隔壁部は、開封自在であり、反応室は、互いの開口手段を嵌合させることで、密閉状態の反応室を形成し得る少なくとも２つの部材からなる。また、いずれか１の反応室にはアセチルコリンエステラーゼ又はコリンエステラーゼが収容され、検出室にはアセチルチオコリンが収容されている。【選択図】  図１
0003160111.tif 000002
【実用新案登録請求の範囲】
【請求項１】
いずれも密閉可能な反応室と検出室とをそれぞれ少なくとも１以上有するとともに、各室間を区画する隔壁部を有する農薬検出用具であって、
前記隔壁部は、開封自在であり、
前記反応室は、互いの開口手段を嵌合させることで、密閉状態の反応室を形成し得る少なくとも２つの部材からなり、
かついずれか１の反応室にはアセチルコリンエステラーゼ又はコリンエステラーゼが収容され、前記検出室にはアセチルチオコリンが収容されていることを特徴とする農薬検出用具。
【請求項２】
前記隔壁部は、表面の一部に溝状の切欠きを有し、かつ少なくとも前記隔壁部に隣接する前記反応室と前記検出室は、柔軟性のある素材で形成されており、それにより外部からの用具に対する押圧操作によって前記切欠きの少なくとも一部が破断して、前記隔壁部が開封され得る請求項１記載の農薬検出用具。
【請求項３】
少なくとも１の反応室は、一端が前記検出室と連続し、かつ前記隔壁部で密閉され、他端が開口手段である筒状部材及び一端が閉じており、他端が開口手段である有底筒状部材からなり、前記２つの開口手段が嵌合して、密閉状態の反応室を形成する請求項１または２記載の農薬検出用具。
【請求項４】
前記反応室は、前記有底筒状部材の閉じた一端に農薬検出部を有する請求項３記載の農薬検出用具。
【請求項５】
前記検出室は、一端が前記反応室と連続し、かつ前記隔壁部で密閉され、他端が開口手段である筒状部材からなり、かつ前記開口手段に農薬検出部を含む密閉蓋を備える請求項１〜３のいずれか１項記載の農薬検出用具。
【請求項６】
前記検出室において、アセチルチオコリンは基体に固定されていることを特徴とする請求項１〜５のいずれか１項記載の農薬検出用具。
【請求項７】
チオコリンと反応して発色する発色剤または発光する発光剤が前記アセチルチオコリンと混合されて前記基体に固定されていることを特徴とする請求項６記載の農薬検出用具。
【請求項８】
第１の反応室、第２の反応室、第３の反応室、及び検出室をこの順に有し、第２の反応室に還元剤が収容され、第３の反応室にアセチルコリンエステラーゼ又はコリンエステラーゼが収容されていることを特徴とする請求項１〜７のいずれか１項記載の農薬検出用具。
【考案の詳細な説明】
【技術分野】
【０００１】
本考案は、食品等に残留する農薬を簡単に検出することができる農薬検出器具に関するものである。
【背景技術】
【０００２】
農業の分野においては、世界的な人口増加に伴う食糧の安定供給のため、農薬が大量に使われているが、これらの使用により飲料水や食べ物に残留化学物質がみられ、人間にとって有害な影響が出てきていることが大きな問題となっている。
【０００３】
その中でも、いくつかの農薬、特に有機リン系農薬やカーバメート系農薬は急性の毒性を起こすことが示されており、特に小さな子供にその兆候が見られる。有機リン系などの殺虫剤農薬の長期的影響としては、遅発性神経障害が有名である。これを有機リン誘導遅発(遅延)性神経毒という。急性中毒は神経伝達に関わる酵素であるアセチルコリンエステラーゼを阻害することによって起こり、遅発性神経障害は、有機リン急性中毒の１〜２週間後に現れる四肢の脱力と運動失調、その後の麻痺が特徴である。病理学的には脊髄および抹消神経中の長い軸索の変性がある。また、脳の特定部位の変性も明らかになっている。
【０００４】
かかる状況から、残留農薬の検出が可能となる技術の開発は、安全安心な食物や飲料水などの安定供給および汚染被害の予防とその対策のために急務となっており、これまでに様々な農薬検出方法や検出装置が提案されている。農作物中の残留農薬の検出・測定は現在、ガスクロマトグラフ（ＧＣ）や高速液体クロマトグラフ（ＨＰＬＣ）、質量分析（ＭＳ）などの機器分析による方法が広く行われている。これらの方法は高感度であり、正確性が高く、農作物から農薬を抽出するのに同じ方法であれば一度にたくさんの農薬を分析できるという利点がある。
【０００５】
また、免疫検定の応用であり、残留農薬の分析に免疫学の手法を応用するバイオアッセイ(生物検体法)と呼ばれる測定方法の開発が進んでいる。バイオアッセイによれば、抗原と抗体の反応を利用して、目的とする物質（ここでは農薬）を特定し、その反応の程度から物質の量を測定することができる。これまでは、タンパク質などの分子量の大きな物質は比較的容易に抗体を作製できたが、農薬のように低分子物質や種類によっては金属元素を含む物質の抗体を作製することは難しいのが実情である。しかしながら、近年、このような物質に対する抗体の作製に道が開けたことで，イムノアッセイによる農薬分析が可能になってきた。このイムノアッセイによって分析した場合、機器分析のような高価な分析機器は必要とせず、比較的安価な機器と市販のイムノアッセイ分析キットを用意するだけで済み、ピペット操作に慣れた人であれば１日に５０点以上の分析をこなすことが可能である。
【０００６】
さらに、他の分析法としてニトロベンジルピリジン法がある。４−(４−ニトロベンジル)ピリジンは、ヨウ化メチルなどのアルキル化剤の呈色試薬として用いられていたもので、その後、薄層クロマトグラフでの有機リン系農薬の呈色試薬として用いられるようになった方法である。また、硝化細菌を用いたセンサもあり、この方法は硝化細菌が様々な化学物質に対して極めて低い濃度でも阻害を受ける性質を用いて検出する方法である。
【０００７】
例えば、下記非特許文献１には、ＧＣ，ＨＰＬＣでの残留農薬の検出方法が開示されている。
【先行技術文献】
【非特許文献】
【０００８】
【非特許文献１】J.Sherma，G.Zweig，Anal.Chem.55(1983)，p.57R
【考案の概要】
【考案が解決しようとする課題】
【０００９】
しかしながら、ＧＣや、ＨＰＬＣや、ＭＳなどの機器分析による農薬検出は、農薬ごとの分析が主体で検査に時間がかかり、対象にする農薬によっては熟練した研究者でも５から１０点程度の分析に数日を要することが稀ではない。また、危険な有機溶媒を使用するので空調設備が必要であり、分析装置自体も高価で、さらに装置の維持費、人件費などがかかるので非常に多くのコストがかかってしまう。また、操作が煩雑であり、一つの分析機器で分析できる検体数が少なく、農薬抽出時に高純度の有機溶媒を多量に使うので危険な作業が伴うという問題もある。
【００１０】
また、イムノアッセイによる農薬分析では、１農薬に１キット必要であり、また国内で登録されている全ての農薬にイムノアッセイ分析キットが用意されているわけではない。さらに、これらの分析キットは使用期限が短く、異なる作物では分析が困難な場合もあり、交差反応性があるなどの欠点を持ち、こちらの方法も生産の過程で安全を確認する手法とはなりえていない。
【００１１】
ニトロベンジルピリジン法は、１００℃で加温できる装置が必要であることや目視的に判断するために、エーテルを必要とする、プロポパスなど、微量では発色しないものがあるなどの欠点がある。硝化細菌を用いた方法は、装置が大型で高価であるという欠点がある。
【００１２】
このように、現在用いられている方法では多くの問題があり、各現場で利用されるに至っていない。食の安全の観点からは、同時に多数の農薬について残留を簡易にスクリーニングすると同時に、最も人体に対する害が懸念されている、神経伝達系を阻害する農薬の残留を迅速、簡便、安全且つ安価に検出する検出用具の開発が強く望まれている。
【００１３】
本考案はこのような従来の実情に鑑みて提案されたものであり、神経伝達系を阻害する農薬の残留を、迅速・簡便・安全且つ安価に検出可能な農薬検出用具を提供することを目的とする。
【課題を解決するための手段】
【００１４】
前述の課題を解決するために、本考案に係る農薬検出用具は、いずれも密閉可能な反応室と検出室とをそれぞれ１以上有するとともに、各室間を区画する隔壁部を有する農薬検出用具であって、前記隔壁部は、開封自在であり、前記反応室は、互いの開口手段を嵌合させることで、密閉状態の反応室を形成し得る少なくとも２つの部材からなり、かついずれか１の反応室にはアセチルコリンエステラーゼ又はコリンエステラーゼが収容され、前記検出室にはアセチルチオコリンが収容されていることを特徴とする。
【００１５】
本考案の農薬検出用具では、農薬によるアセチルコリンエステラーゼの活性阻害を利用し、アセチルチオコリンとアセチルコリンエステラーゼ又はコリンエステラーゼとの酵素反応により生成されるチオコリンを検出することにより、試料に含まれる農薬を検出する。
【００１６】
また、本考案の農薬検出用具では、反応室でアセチルコリンエステラーゼ又はコリンエステラーゼと試料とを反応させた後、押圧操作により隔壁部を開封して検出室へと導入することで農薬検出が行われるが、操作は極めて簡単であり、試料や試薬が人体に触れることなく迅速、且つ安全に検出操作が行われる。
【考案の効果】
【００１７】
本考案によれば、神経伝達系を阻害する農薬の残留を、迅速・簡便・安全且つ安価に検出可能な農薬検出用具を提供することが可能である。
【図面の簡単な説明】
【００１８】
【図１】本考案を適用した農薬検出用具の一例を示す模式的断面図である。
【図２】図１に示す農薬検出用具の模式的分解図である。
【図３】図１に示す農薬検出用具に含まれる隔壁部の平面図である。
【図４】図３のＡ−Ａ線における断面図である。
【図５】隔壁部を開封する状態を示す模式的斜視図である。
【図６】隔壁部開封後の農薬検出用具の模式的断面図である。
【図７】農薬検出用具における別の態様の隔壁部の開封前の模式的断面図である
【図８】図７の隔壁部の開封後の模式的断面図である。
【考案を実施するための形態】
【００１９】
以下、本考案を適用した農薬検出用具の実施形態について、図面を参照しながら詳細に説明する。
【００２０】
図１は、本考案の農薬検出用具１０の模式的断面図であり、図２はその分解図である。図１に示すように、農薬検出用具１０は、反応室１と検出室２とを含み、前記反応室１及び前記検出室２の間に隔壁部３が配置される。すなわち、反応室１と検出室２は、隔壁部３によって分離されている。前記反応室１には、ネジなどで着脱自在な嵌合部４を前記反応室１の開口手段として有することができ、更に、内部にアセチルコリンエステラーゼ又はコリンエステラーゼを含む試薬（反応用液またはこれを乾燥固着した粉体等）６を収容することができる。反応室１に収容される試薬６は、溶液状態であっても良いし、固体（粉体等）状態であってもよいが、例えば試薬を溶液状態で反応室１に入れ、乾燥固定して固体状態とし、使用時に試料溶液を反応させることが好ましい。試薬６を固体状態にする方が保存性が高いこと、試料溶液を希釈しないこと等の点で有利である。
【００２１】
また、検出に電気化学活性物質を用いる場合は、前記検出室２は、電気化学的検出室であり、一端に電極５１を有する蓋部５を備え、内部に反応液７を含むことができる。図１示すように、隔壁部３が後述するように開封されるまでは、前記反応室１及び前記検出室２はそれぞれ密封されている。
【００２２】
図１に示す本考案の農薬検出用具１０は、例えば、図２に示すように、有底円筒体１１と、有節円筒体１２と、蓋部５とから組み立てることができる。有底円筒体１１は、一方の端部１１ａが閉鎖され、もう一方の端部１１ｂが開口された円筒体である。有節円筒体１２は、両端１２ａ，１２ｂが共に開口しており、中間部に竹節状の隔壁部３を有する円筒体である。有底円筒体１１の開口端部１１ｂと有節円筒体１２の一方の端部１２ａとをネジなどで嵌合することにより、密閉室としての反応室１を形成することができる。
【００２３】
蓋部５は、検出に前記の電気化学活性物質を用いる場合には、密栓部５２の一方の端部５ａ上に電極５１を露出して備えており、もう一方の端部５ｂ上に端子５３を露出して備えている。蓋部５は、密栓部５２の側面に設けたネジなどで有節円筒体１２の一端部１２ｂと着脱自在に嵌合することができ、蓋部５を有節円筒体１２の一端部１２ｂに取り付ける際には、電極５１を備えている端部５ａ側が有節円筒体１２の内部に含まれ、端子５３を備えている端部５ｂ側が有節円筒体１２の外側に配置されるように嵌合する。
【００２４】
一方、有節円筒体１２のもう一方の端部１１ｂにおいては、蓋部５をネジなどで着脱自在に取り付けることができ、蓋部５を嵌合することにより、密閉室としての検出室２を形成することができる。検出室２には、基体に固定されたアセチルチオコリンが収容されており、さらには検出に電気化学活性物質を用いない場合にはチオコリンと反応して発色する発色剤または発光する発光剤が前記アセチルチオコリンと混合されて前記基体に固定されている。
【００２５】
検出に電気化学活性物質を用いない場合には、蓋部５に電極及び端子を設ける必要はない。図１に示す農薬検出用具１０では、蓋部５に電極５１を設けているが、電極５１は、反応室に設けることもできる。
【００２６】
隔壁部３の一態様を図３〜図５に示す。図３は、隔壁部３の平面図であり、図４は、図３のＡ−Ａ線断面図であり、図５は、隔壁部３を外部からの押圧操作によって開封する状態を示す模式的斜視図である。
【００２７】
図３及び図４に示すとおり、隔壁部３は、薄膜部３１とその一方の表面上に形成された溝部３２からなり、薄膜部３１の周縁部３１ａで有節円筒体１２の内側の側壁と接合している。溝部３２は、外部からの押圧操作（図５参照）による開封を容易にするために設ける破断用溝であり、例えば、図４に示すようにＶ字状溝であることができる。例えば、図３に示すように、薄膜部３１の中央部３３に円形開口部を形成させるように溝部３２を設けることができる。溝部３２が破断された場合に、中央部３３が薄膜部３１から脱離しないように、非破断部３１ｂを設けるのが好ましい。
【００２８】
図１及び図２に示す本考案の農薬検出用具１０の隔壁部３として、図３及び図４に示す隔壁部３を設けた場合には、図５に示すように、隔壁部３の外側から指８で押圧することにより、溝部３２の部分で薄膜部３１を簡単に破断することができ、中心部に円形開口部を形成することができる。非破断部３１ｂを設けた場合には、中央部３３が薄膜部３１から脱離しないが、薄膜部３１の検出室２側の表面上に溝部３２を形成しておくと、図５に示すように、外側からの押圧操作によって薄膜部３１の中央部３３を検出室２側に倒すことができ、反応室１から検出室２への液体の移動が容易になるので好ましい。
【００２９】
図１〜図５に示す本考案の農薬検出用具１０を用いて、農薬検出を実施する場合の操作を、以下に説明する。
【００３０】
最初に、有底円筒体１１を有節円筒体１２から取り外し、アセチルコリンエステラーゼ又はコリンエステラーゼを含む試薬６が入った有底円筒体１１に、被検試料を添加した後に、再び有底円筒体１１を有節円筒体１２に嵌合させ、反応室１を密閉状態にする（図１及び図２参照）。
【００３１】
続いて、農薬検出用具１０の全体、又は少なくとも反応室１の部分を適当なインキュベータ等の中に置き、被検試料とアセチルコリンエステラーゼ又はコリンエステラーゼとを反応させる。反応の際には反応室１と検出室２との相対位置は限定されず、図１及び図２に示すように、反応室１を下方に配置し、検出室２を上方に配置することもできるし、逆に反応室１を上方に配置し、検出室２を下方に配置するか、あるいは反応室１と検出室２と水平方向に並置させたり、垂直方向から傾斜させたりすることもできる。
【００３２】
反応に必要な時間の経過後に、農薬検出用具１０をインキュベータ等から取り出し、図５に示すように、外部からの押圧操作によって隔壁部３を開封し、続いて、反応室１内の反応液を検出室２へ移動させ、検出室２の内部に予め挿入しておいたアセチルチオコリンと接触させる。反応液を反応室１から検出室２へ移動させるには、例えば、反応室１側を押圧して反応液を検出室２側へ押し出すか、あるいは、反応室１側の先端部を手で持って、農薬検出用具１０の全体を１〜２回程度振れば、簡単に移動させることができる。こうして、図６に示すように、反応室１の反応液と検出室２のアセチルチオコリンとが接触し、その結果チオコリンが生成し、これを蓋部５に設けた電極及び端子を用いて電気化学的に測定することができる。あるいは、生成したチオコリンと反応して発色する発色剤の発色、または発光する発光剤の発光から、農薬の有無、濃度等を検出することもできる。
【００３３】
本考案の農薬検出用具において、反応室や検出室の形状は、図１〜図６に示す円筒状に限定されず、任意の形状（例えば、角柱状）であることができる。また、本考案の農薬検出用具は、反応室と検出室と隔壁室との組合せが１組だけのモノチャンネル型に限定させず、反応室と検出室と隔壁室との組合せを２又はそれ以上含むマルチチャンネル型とすることもできる。マルチチャンネル型の場合には、有機リン系農薬のチオノ体の活性化を同じ容器で行うことができ、あるいは、比較試験を同一の条件下で実施することができる。
【００３４】
例えば、前述の反応による農薬検出の全てを本考案の農薬検出用具で実施する場合には、反応室を３つ、検出室を１つ、及び各室間の隔壁を３つ設け、最初の反応室で農薬を活性型にする処理を行ってから、２番目の反応室で活性化剤を不活性化し、それから３番目の反応室で農薬と酵素と反応させ、最後に検出室でアセチルチオコリンと反応させるというステップになる、すなわち、最初の反応室に試料溶液（抽出液）と酸化剤を添加し、反応後、最初の反応室と２番目の反応室の間の隔壁を割り、
２番目の反応室に固定されている還元剤で余剰の酸化剤を失活させる。
次いで、２番目の反応室と３番目の反応室間の隔壁を割り、３番目の反応室に固定されている酵素と反応させる。最後に、３番目の反応室と検出室の間の隔壁を割り、検出室に固定されているアセチルチオコリンや発色剤と混合する。
【００３５】
本考案の農薬検出用具の寸法も、被検試料中の農薬を検出する目的の範囲内で限定されず、例えば、図１〜図６に示す円筒状遺伝子検出用具１０の場合には、農薬検出用具１０の全長〔有底円筒体１１の閉鎖端部１１ａ（図２参照）から蓋部５の端部５ｂ（図２参照）までの全長〕が約２〜１０ｃｍ（特には、約３〜７ｃｍ）であることができ、反応室１の全長〔有底円筒体１１の閉鎖端部１１ａ（図２参照）から隔壁部３までの全長〕が約１〜５ｃｍで、検出室２の全長〔隔壁部３から蓋部５の端部５ａ（図２参照）までの全長〕が約１〜５ｃｍであることができる。また、図１〜図６に示す円筒状農薬検出用具１０の内径は、例えば、約３〜１０ｍｍであることができる。但し、本考案の農薬検出用具は、上記寸法よりも、より小型または大型とすることもできる。
【００３６】
本考案の農薬検出用具の材料も特に限定されず、例えば、プラスチック材料（例えば、ポリオレフィン、特にはポリエチレン、ポリエステル、特にはポリエチレンテレフタレート、又はポリアクリレート、特にはポリメチルメタクリレート）から成形することができる。なお、反応室での反応状態や、検出室での検査状態を外部から観察可能にするために、透明な材料から製造するのが好ましい。
【００３７】
図３及び図４に示す隔壁部３を有する有節円筒体１２は、例えば、隔壁部３を閉鎖端として含む円筒体と、両端が開放した円筒体とを接合することによって製造することができる。
【００３８】
また、本考案の農薬検出用具の材料は、隔壁部の開封を押圧操作で行うという観点から、少なくとも隔壁部に隣接する領域は押圧操作が可能な程度に柔軟性を有する材料から選択することが適当である。
【００３９】
本考案の農薬検出用具においては、反応室及び検出室の間に配置する隔壁部として、図３及び図４に示す隔壁部の他にも、外部からの操作によって開封可能な任意の手段を用いることができる。例えば、図７（模式的断面図）に示すように、反応室１の開放端部１ａと検査室２の開放端部２ａとの間に、閉鎖膜担持キャップ３４と突起担持キャップ３５とを含む隔壁部３を用いることもできる。閉鎖膜担持キャップ３４は、閉鎖膜３４ａと閉鎖膜担持フレーム３４ｂとを有し、反応室１の開放端部１ａに装着することができる。突起担持キャップ３５は、突起３５ａと突起担持フレーム３５ｂとを有し、検査室２の開放端部２ａに装着することができる。なお、突起担持フレーム３５ｂの端部と、反応室１の端縁部との間に間隙ｇを設けて突起担持フレーム３５ｂを装着する。必要により、適当なストッパ手段（図示せず）を設けて、開封前には、間隙ｇを維持させることができる。
【００４０】
図７に示す隔壁部３を開封するには、場合により設けたストッパ手段を解除してから、検査室２側を反応室１側の方向（矢印Ｐの方向）へ押し込むと、図８（模式的断面図）に示すように、突起担持キャップ３５に担持された突起３５ａが、閉鎖膜担持キャップ３４に担持された閉鎖膜３４ａを突き破って破断する。
【００４１】
図７及び図８に示す隔壁部３を用いると、閉鎖膜担持キャップ３４を反応室１の開放端部１ａから取り外すことによって、被検試料の挿入用開口手段とすることができるので、図１〜図６に示した態様の嵌合部４を設ける必要はない。また、突起担持キャップ３５を検査室２の開放端部２ａ取り外すことによって、被検試料の挿入用開口手段とすることもできる。
【００４２】
本考案に係る農薬検出用具では、アセチルコリンエステラーゼ又はコリンエステラーゼと試料とを混合し、当該混合溶液をアセチルチオコリンに添加して反応させ、生成されたチオコリンを検出する。
【００４３】
アセチルコリンエステラーゼ又はコリンエステラーゼと農薬を含む試料とを混合すると、試料中に存在する有機リン系やカーバメート系農薬などの神経伝達系を阻害する農薬とアセチルコリンエステラーゼ又はコリンエステラーゼが不可逆的に結合し、アセチルコリンエステラーゼ又はコリンエステラーゼの活性が阻害される。その混合液をアセチルチオコリンに添加すると、農薬と非結合のアセチルコリンエステラーゼ又はコリンエステラーゼとアセチルチオコリンとが酵素反応してチオコリンが生成される。すなわち、試料中の農薬の濃度に応じて生成されるチオコリンの量が変化する。生成されたチオコリンを検出することにより、間接的に試料中の農薬を検出することが可能となる。
【００４４】
チオコリンを検出する手段としては、様々なものが考えられるが、例えばチオコリンと反応して発色又は発光する発色剤又は発光剤が挙げられる。発色剤としては、５，５‘−ｄｉｔｈｉｏｂｉｓ−２−ｎｉｔｒｏｂｅｎｚｏｉｃ
ａｃｉｄ(ＤＴＮＢ)が好適である。ＤＴＮＢはチオコリンと反応すると黄色色素を形成する。試料中の農薬の濃度に応じて、生成されるチオコリンの量が変化し、チオコリンの量に応じて黄色色素が形成され、発色の程度によりチオコリンの量を測定することができる。試料中に農薬がある場合は不可逆的に農薬がアセチルコリンエステラーゼ又はコリンエステラーゼと複合体を形成し、反応が進まずに発色しない。逆に、農薬がない(もしくは量が少ない)場合は阻害されずに発色する。
【００４５】
本考案の農薬検出用具によれば、農薬の種類によって個別に分析する必要もなく、有機リン系農薬およびカーバメート系農薬といった神経伝達系を阻害する農薬を幅広く検出することが可能である。いずれの工程も簡易且つ迅速に行うことが可能であり、危険な要素も含まれていないため安全性も高い。大規模な装置や高価な溶媒なども不要であり、低コストで検出することが可能である。
【符号の説明】
【００４６】
１  反応室、１ａ  反応室の開放端部、２  検出室、２ａ  検査室の開放端部、３  隔壁部、４  嵌合部、５  蓋部、５ａ，５ｂ  蓋部端部、６  試薬、８  指、１０  農薬検出用具、１１  有底円筒体、１１ａ，１１ｂ  有底円筒体端部、１２  有節円筒体、１２ａ，１２ｂ  有節円筒体端部、３１  薄膜部、３１ａ  薄膜部周縁部、３２  溝部、３３  薄膜部中央部、３４  閉鎖膜担持キャップ、３４ａ  閉鎖膜、３４ｂ  閉鎖膜担持フレーム、３５  突起担持キャップ、３５ａ  突起、３５ｂ  突起担持フレーム、５１  電極、５２  密栓部、５３  端子
【図１】
0003160111.tif 000003
【図２】
0003160111.tif 000004
【図３】
0003160111.tif 000005
【図４】
0003160111.tif 000006
【図５】
0003160111.tif 000007
【図６】
0003160111.tif 000008
【図７】
0003160111.tif 000009
【図８】
0003160111.tif 000010